(57)【要約】【課題】  引戸やドアが装着される間口に取付ける門型枠体であって、引戸やドアを開閉操作する際に体のバランスが崩れないようにつかまることが出来る手摺りを備えた門型枠体の提供。【解決手段】  門型枠体１の縦桟５ａ，５ｂには該縦桟５ａ，５ｂに沿って壁面８から突出して手摺り部６，６・・を形成し、該手摺り部６，６・・は握り易いように湾曲している。【選択図】    図１
2005133460.tif 000002
【特許請求の範囲】
【請求項１】
引戸やドアが装着される間口に取付ける門型枠体において、該門型枠体の縦桟には該縦桟に沿って壁面から突出して手摺り部を形成したことを特徴とする間口の門型枠体。
【請求項２】
上記手摺り部は縦桟の一部に形成した請求項１記載の門型枠体。
【請求項３】
引戸やドアが装着される間口に取付ける門型枠体において、該門型枠体の縦桟には該縦桟に沿って壁面から突出して手摺り部を取着したことを特徴とする間口の門型枠体。
【請求項４】
上記門型枠体の上桟に日差しを取付けた請求項１、請求項２、又は請求項３記載の間口の門型枠体。
【発明の詳細な説明】
【技術分野】
【０００１】
本発明は老人ホームや病院などの開閉ドアや引戸が装着される間口の門型枠体に関するものである。ここで、ドアには折戸など全てのドアが含まれ、間口は部屋の出入口に限らずトイレの出入口も対象とする。
【背景技術】
【０００２】
部屋の出入口と成る間口には開閉ドアや引戸が装着されるが、該間口には門型の枠体が取付けられている。ところで、老人ホームや病院、身体障害者の保養施設には廊下に沿って手摺りが水平に取付けられ、身体障害者や老人はこの手摺りにつかまって歩くことが出来る。図６は部屋の開閉ドア(イ)付近を示した具体例であるが、開閉ドア(イ)は間口に取付けている門型枠体(ロ)に装着されている。
【０００３】
門型枠体(ロ)は両縦桟(ハ)、(ハ)と上桟(ニ)が枠組されたものであり、この門型枠体(ロ)の縦桟(ハ)に蝶番などの継手を介して開閉ドア(イ)が取付けられ、開閉ドア(イ)の戸先側にて持ち手(ホ)が備わっている。そして、廊下の壁面(ヘ)には手摺り(ト)が適度な高さ位置に水平に取付けられている。身体障害者や老人は廊下を歩く際に該手摺り(ト)につかまることが出来ると共に、開閉ドア(イ)を開閉する場合にも上記手摺り(ト)につかまって体を支えながら行うことが出来る。
【０００４】
上記手摺り(ト)は門型枠体(ロ)の縦桟(ハ)の近くまで延びている為に、手摺りの先端を握ることが出来るが、開閉ドア(イ)の開閉操作には不便である。すなわち、手摺り先端と持ち手(ホ)との間にはある程度の距離があり、しかも手摺り(ト)の高さは一定である為に、左手で手摺りにつかまって体を支えると共に右手で持ち手(ホ)を握って開閉ドア(イ)を開閉操作する場合に、体のバランスが崩れて転倒することがある。
【発明の開示】
【発明が解決しようとする課題】
【０００５】
このように、従来の間口の枠体には上記のごとき問題がある。本発明が解決しようとする課題はこれら問題点であり、ドアや引戸を開閉操作する際に体のバランスを崩すことなくつかまることが出来る門型枠体を提供する。
【課題を解決するための手段】
【０００６】
本発明に係る門型枠体は両縦桟と上桟を枠組して構成され、該門型枠体には開閉ドアや引戸が装着される。そして、これら開閉ドア及び引戸を開閉操作する際に、つかまり易いように縦桟に手摺りを設ける。該手摺りは縦桟に沿って上下方向に形成され、人の背丈に応じて持ち易い高さを握ることが出来、その状態でバランスを崩すことなく体を支えてドア及び引戸を開閉することが出来る。
【０００７】
ここで、手摺りは縦桟に別部材として取着することも出来、又は縦桟の一部として一体形成する場合の何れでもよい。しかし該手摺りの具体的な形態は限定しないことにするが、老人や身体障害者が握り易い形状としている。例えば、丸みをもって湾曲した形状とし、ドアや引戸の持ち手を中心とした高さ領域に設けられる。
【発明の効果】
【０００８】
本発明に係る間口の門型枠体は戸先側の縦桟に手摺りが取付けられている。そして該手摺りは縦桟に沿って形成される為に、人の背丈に応じてつかむことが出来る箇所は自由となる。従って、縦桟に設けられる手摺りをつかむことで体のバランスを崩すことなく支えながらドアを開閉し、引戸を開閉することが出来る。すなわち、廊下の壁面に沿設した手摺りにつかまって歩いてきた老人や身体障害者は、門型枠体の縦桟に設けている手摺りを握ることが出来る。
【０００９】
そして、一方の手で該手摺りを握ってつかまりながら、他方の手でドアや引戸を開閉操作することが出来、体のバランスを崩すことなく支持される。一方、車椅子に乗って移動してきた身体障害者は、門型枠体に設けている手摺りを握りながらドアや引戸を開閉操作することが出来、車椅子はこの際に定位置で動くことなく安定する。
【実施例】
【００１０】
図１は本発明に係る門型枠体１を取付けた間口に引戸２を装着している実施例であり、該引戸２の戸先側には持ち手３が取着されている。引戸２は上レールに吊設されてスライドすることで開閉し、この開閉操作に際して持ち手３を握って行うことが出来る。そして、廊下の壁面の手摺り４は適度な高さにて水平に設けられ、老人や身体障害者はこの手摺りに沿って体を支えながら歩くことが出来る。
【００１１】
そして、該引戸２を開く際には、上記手摺り４から門型枠体１の縦桟５の一部として形成している手摺り部６をつかんで体を支えることが出来る。門型枠体１は両縦桟５ａ，５ｂと上桟７が門型に枠組され、縦桟５ａには廊下の壁面８から突出した手摺り部６が形成されている。この手摺り部６は縦桟５ａに沿って上下方向に延び、背丈に応じて適当な位置をつかむことが出来る。
【００１２】
戸尻側に位置する縦桟５ｂは戸袋を形成する関係上、表側と裏側に分かれた２ピース構造と成っているが、夫々の縦桟５ｂ、５ｂは両壁面８，８から突出した手摺り部６，６を形成している。図２は戸先側縦桟５aの断面を示しているように、上記手摺り部６は背面側に凹部９を、内面側にも凹部１０を形成している為に、握り易く成っている。すなわち、壁面８から単に突出しただけでなく、体を支える為にしっかりつかむことが出来る形状と成っている。縦桟５ｂの手摺り部形状も同じである。
【００１３】
図３は本発明に係る門型枠体１を示す他の実施例である。門型枠体１は前記実施例の場合と同じく、両縦桟５ａ，５ｂと上桟７が枠組され、縦桟５ａ，５ｂには手摺り部６，６・・が形成されている。ただし、該手摺り部６，６・・は縦桟５ａ，５ｂの全長にわたることなく、引戸２に取着している持ち手３より下側には形成されていない。
【００１４】
すなわち、一方側の手で持ち手３を握って引戸２を開閉操作する場合、他方側の手で握る手摺り部６が持ち手３より低くなることはない為に、下側の手摺り部６を削除した形状と成っている。そして、手摺り部６は壁面８から突出しているが、握り易いように背面側へ湾曲している。
【００１５】
又、上桟７は両縦桟５ａ，５ｂの上端を連結し、そして上桟７には上縁１２が滑らかな曲面の山形を形成する日差し１３を取付けている。この日差し１３にて一般住宅の玄関としての外観をイメージすることが可能であり、従来の老人ホームの部屋出入口とは異なる形態と成っている。
【００１６】
図４は本発明に係る門型枠体１を示すさらに他の実施例である。門型枠体１は前記実施例の場合と同じく、両縦桟５ａ，５ｂと上桟７が枠組され、縦桟５ａ，５ｂには手摺り部６，６・・が形成されている。ただし、該手摺り部６，６・・は縦桟５ａ，５ｂの全長にわたることなく、引戸２に取着している持ち手３より下側には形成されず、又上側も削除されていて適当な高さまでと成っている。そして、手摺り部６は壁面８から突出しているが、握り易いように背面側へ湾曲している。
【００１７】
上桟７は両縦桟５ａ，５ｂの上端を連結し、前記実施例の場合と同じように日差し１１を取着している。該実施例では、日差し１１は正面側へ湾曲して突出した形状と成っていて、一般住宅の玄関としての外観をイメージすることが出来、従来の老人ホームの部屋出入口とは異なる形態と成っている。
【００１８】
図５は本発明に係る門型枠体１を示すさらに他の実施例である。門型枠体１は前記実施例の場合と同じく、両縦桟５ａ，５ｂと上桟７が枠組され、縦桟５ａ，５ｂには手摺り部６，６・・が形成されている。ただし、該手摺り部６，６・・は縦桟５ａ，５ｂの全長にわたることなく、引戸２に取着している持ち手３より下側には形成されず、又上側も削除されていて適当な高さまでと成っている。そして、手摺り部６は壁面８から突出しているが、握り易いように先端が膨らんだ形状と成っている。
【００１９】
ところで、これら実施例では間口に引戸を装着した場合を説明したが、開閉ドアを装着した場合も同じように構成できる。そして、実施例では手摺り部が縦桟の一部として一体的に形成されているが、該手摺り部を別部材にて製作し、これを縦桟に取付ける形態とすることも可能である。
【図面の簡単な説明】
【００２０】
【図１】本発明に係る門型枠体。
【図２】戸先側の縦桟の断面図。
【図３】本発明に係る門型枠体。
【図４】本発明に係る門型枠体。
【図５】本発明に係る門型枠体。
【図６】従来の門型枠体。
【符号の説明】
【００２１】
１  門型枠体
２  引戸
３  持ち手
４  手摺り
５  縦桟
６  手摺り部
７  上桟
８  壁面
９  凹部
10  凹部
11  日差し
12  上縁
13  日差し
【図１】
2005133460.tif 000003
【図２】
2005133460.tif 000004
【図３】
2005133460.tif 000005
【図４】
2005133460.tif 000006
【図５】
2005133460.tif 000007
【図６】
2005133460.tif 000008